(57)【特許請求の範囲】
【請求項１】
クリップ本体と、前記クリップ本体の開閉操作を行う一対の開閉レバーとを備えるダブルクリップに固定して用いられる筆記具用部材であって、
前記ダブルクリップに固定される固定部と、筆記具を保持する保持部とを備え、
前記固定部は、前記クリップ本体に挟持されることにより前記ダブルクリップに固定されるものであり、かつ、前記保持部に接続する側から先端側に向かって厚みが漸増する厚み漸増部を有するものであることを特徴とする筆記具用部材。
【請求項２】
前記固定部は、筆記具用部材の他の部位よりも比重の大きい材料で構成されたものである請求項１に記載の筆記具用部材。
【請求項３】
前記固定部は、磁石を含む材料で構成されたものである請求項１または２に記載の筆記具用部材。
【請求項４】
前記保持部は、開放した屈曲部、湾曲部のうち少なくとも一方を有するものである請求項１ないし３のいずれか１項に記載の筆記具用部材。
【請求項５】
前記保持部は、孔部を有するものである請求項１ないし４のいずれか１項に記載の筆記具用部材。
【請求項６】
筆記具用部材は、情報表示部を備えるものであり、
前記情報表示部の少なくとも一部が前記保持部を構成するものである請求項１ないし５のいずれか１項に記載の筆記具用部材。
【請求項７】
前記情報表示部は、広告機能を有するものである請求項６に記載の筆記具用部材。
【請求項８】
前記情報表示部は、複数の前記保持部を有するものである請求項６または７に記載の筆記具用部材。
【請求項９】
筆記具用部材が有する前記保持部と、前記ダブルクリップが有する保持部とにより、前記筆記具を保持する請求項１ないし８のいずれか１項に記載の筆記具用部材。
【請求項１０】
クリップ本体と、前記クリップ本体の開閉操作を行う一対の開閉レバーとを備えるダブルクリップと、
請求項１ないし９のいずれか１項に記載の筆記具用部材とを備えることを特徴とする文房具セット。
【発明の詳細な説明】
【技術分野】
【０００１】
本発明は、筆記具用部材および文房具セットに関する。
【背景技術】
【０００２】
紙葉類等を束ねる挟持具としては、ダブルクリップが知られている（例えば、特許文献１参照）。
【０００３】
紙葉類を束ねるための挟持具としては、弾性力を有する板材を側面視略二等辺三角形状に折り曲げてクリップ本体を形成し、これに金属線を折り曲げた開閉レバーを起伏自在に取り付けたダブルクリップが用いられている（例えば、特許文献１参照）。ダブルクリップは、一般に持ち運び等が容易であること等から、異なる複数の場所での利用にも適している。
【０００４】
一方、ペン等の筆記具を収容し、必要時に筆記具を容易に取り出すことができるペン立ても広く用いられている。
【０００５】
しかしながら、ペン立ては、一般に大型であり、異なる場所に持ち運ぶことはほとんど行われていない。その一方で、筆記具を直接机等に置いた場合、筆記具を掴み損ねることがあり、作業性の低下を招いていた。
【０００６】
また、複数の筆記具を用いた作業を行っている場合、誤って目的としない筆記具を掴んでしまうことや、ある筆記具を掴む際に、他の筆記具を誤って机等から落下させてしまう等の問題があった。
【先行技術文献】
【特許文献】
【０００７】
【特許文献１】実公平３−４４５４５号公報
【発明の概要】
【発明が解決しようとする課題】
【０００８】
本発明の目的は、持ち運びに便利で、筆記具を好適に保持（支持）する機能を備えた筆記具用部材、文房具セットを提供すること。
【課題を解決するための手段】
【０００９】
このような目的は、下記（１）〜（１０）に記載の本発明により達成される。
（１）  クリップ本体と、前記クリップ本体の開閉操作を行う一対の開閉レバーとを備えるダブルクリップに固定して用いられる筆記具用部材であって、
前記ダブルクリップに固定される固定部と、筆記具を保持する保持部とを備え、
前記固定部は、前記クリップ本体に挟持されることにより前記ダブルクリップに固定されるものであり、かつ、前記保持部に接続する側から先端側に向かって厚みが漸増する厚み漸増部を有するものであることを特徴とする筆記具用部材。
【００１０】
これにより、持ち運びに便利で、筆記具を好適に保持（支持）する機能を備えた筆記具用部材を提供することができる。
また、ダブルクリップによる筆記具用部材の固定力をより優れたものとすることができ、筆記具をより好適に保持することができる。また、ダブルクリップが本来挟持すべき部材（例えば、紙葉類等）の挟持と、固定部の固定とを、ダブルクリップの同一の部位で行うことにより、ダブルクリップの構造が複雑化したり、ダブルクリップが必要以上に大型化したりすることを防止することができる。また、ダブルクリップが紙葉類等の本来挟持すべき部材とともに、固定部を挟持することにより、ダブルクリップによる前記部材の挟持力（固定力）、および、固定部の挟持力（固定力）をより優れたものとすることができる。
また、ダブルクリップが筆記具用部材を固定した状態から、筆記具用部材が不本意にダブルクリップから分離してしまうことがより効果的に防止され、筆記具をより安定的に保持（支持）することができる。
また、ダブルクリップで筆記具用部材を挟持する（固定する）操作を行う際や、ダブルクリップで固定された筆記具用部材に、ダブルクリップから引き抜こうとする方向に外力が加わった場合等に、ダブルクリップや筆記具用部材に傷がついたり、これらの部材が破損すること等をより効果的に防止することができる。また、ダブルクリップが本来挟持すべき部材（例えば、紙葉類等）に不本意な傷等を生じることをより効果的に防止することができる。また、例えば、ダブルクリップが挟持している複数枚の部材（例えば、紙葉類等）のうちの一部のみ（例えば、１枚のみ）を抜き取る操作等を、より好適に行うことができる。
【００１７】
（２）  前記固定部は、筆記具用部材の他の部位よりも比重の大きい材料で構成されたものである上記（１）に記載の筆記具用部材。
【００１８】
これにより、保持部に筆記具を保持（支持）した状態を安定的に維持することができ、筆記具用部材の転倒等をより効果的に防止することができる。特に、重量の大きい筆記具であっても、筆記具を好適に保持することができる。
【００１９】
（３）  前記固定部は、磁石を含む材料で構成されたものである上記（１）または（２）に記載の筆記具用部材。
【００２０】
これにより、例えば、ダブルクリップが鉄等の強磁性材料で構成されたものである場合に、固定部をダブルクリップに好適に吸着させることができ、筆記具を保持（支持）した状態をより安定的に維持することができる。特に、重量の大きい筆記具であっても、筆記具を好適に保持することができる。また、例えば、ダブルクリップが挟持している複数枚の部材（例えば、紙葉類等）のうちの一部のみ（例えば、１枚のみ）を抜き取る操作等を、より好適に行うことができる。
【００２１】
（４）  前記保持部は、開放した屈曲部、湾曲部のうち少なくとも一方を有するものである上記（１）ないし（３）のいずれかに記載の筆記具用部材。
【００２２】
これにより、筆記具をより好適に保持（支持）することができ、筆記具用部材の目的の部位に筆記具を載置する操作や、載置した筆記具を取る操作をより円滑に行うことができる。また、筆記具用部材に載置した筆記具の不本意な転倒等をより好適に防止することができる。
【００２３】
（５）  前記保持部は、孔部を有するものである上記（１）ないし（４）のいずれかに記載の筆記具用部材。
【００２４】
これにより、筆記具用部材に載置した筆記具の不本意な転倒等をさらに確実に防止することができる。
【００２５】
（６）  筆記具用部材は、情報表示部を備えるものであり、
前記情報表示部の少なくとも一部が前記保持部を構成するものである上記（１）ないし（５）のいずれかに記載の筆記具用部材。
【００２６】
これにより、筆記具用部材に、筆記具を保持する機能だけでなく、デザイン性、ファッション性、美的外観の向上等の機能を担わせることができる。
【００２７】
（７）  前記情報表示部は、広告機能を有するものである上記（６）に記載の筆記具用部材。
【００２８】
これにより、例えば、文房具セットや、筆記具用部材、ダブルクリップ、ダブルクリップにより挟持された部材（例えば、当該部材に記載された商品、サービス等の情報を含む）、筆記具用部材に保持された筆記具等の宣伝、広告等に好適に利用することができる。また、筆記具用部材をノベルティとして好適に用いることができる。
（８）  前記情報表示部は、複数の前記保持部を有するものである上記（６）または（７）に記載の筆記具用部材。
これにより、例えば、複数の筆記具を同時に保持することができる。また、例えば、使用者が、筆記具の種類等に応じて、複数の筆記具の載置場所を決定すること等ができる。
（９）  筆記具用部材が有する前記保持部と、前記ダブルクリップが有する保持部とにより、前記筆記具を保持する上記（１）ないし（８）のいずれかに記載の筆記具用部材。
これにより、筆記具をより安定的に保持（支持）することができる。
【００２９】
（１０）  クリップ本体と、前記クリップ本体の開閉操作を行う一対の開閉レバーとを備えるダブルクリップと、
上記（１）ないし（９）のいずれかに記載の筆記具用部材とを備えることを特徴とする文房具セット。
【００３０】
これにより、筆記具を好適に保持（支持）する機能を備えた文房具セットを提供することができる。
【発明の効果】
【００３１】
本発明によれば、持ち運びに便利で、筆記具を好適に保持（支持）する機能を備えた筆記具用部材、文房具セットを提供することができる。
【図面の簡単な説明】
【００３２】
【図１】本発明の筆記具用部材の第１実施形態を示す模式的な斜視図である。
【図２】図１に示す筆記具用部材の模式的な側面図である。
【図３】本発明の筆記具用部材の第２実施形態を示す模式的な斜視図である。
【図４】本発明の筆記具用部材の第３実施形態を示す模式的な斜視図である。
【図５】本発明の筆記具用部材の第４実施形態を示す模式的な斜視図である。
【図６】本発明の文房具セットを構成するダブルクリップの第１実施形態を示す模式的な斜視図である。
【図７】本発明の文房具セットを構成するダブルクリップの第２実施形態を示す模式的な斜視図である。
【図８】本発明の文房具セットを構成するダブルクリップの第３実施形態を示す模式的な斜視図である。
【図９】図８に示すダブルクリップの挟持部（先端縁挟持部）を開いた状態を示す模式的な側面図である。
【図１０】本発明の文房具セットを構成するダブルクリップの第４実施形態を示す模式的な斜視図である。
【図１１】図１０に示すダブルクリップの模式的な側面図である。
【図１２】図１、図２に示す筆記具用部材と、図６に示すダブルクリップとを備える本発明の文房具セットの使用形態の一例を示す模式的な斜視図である。
【発明を実施するための形態】
【００３３】
以下、本発明の好適な実施形態について詳細に説明する。
《文房具セット》
【００３４】
本発明の筆記具用部材は、クリップ本体および当該クリップ本体の開閉操作を行う一対の開閉レバーを備えるダブルクリップと、ダブルクリップに固定される固定部および筆記具を保持する保持部を備える筆記具用部材とを備えるものである。
【００３５】
これにより、筆記具を好適に保持（支持）する機能を備えた文房具セットを提供することができる。特に、別途、ペン立て等を用意しなくても、筆記具を好適に保持（支持）することができる。また、前記ダブルクリップおよび前記筆記具用部材は、一般に、ペン立てに比べて、小型のものであり、持ち運びにも便利である。また、例えば、パソコン（ディスプレイ、キーボード等）等を、ダブルクリップで挟持して用いることにより、机等の作業スペースを広く確保することができ、作業効率をより優れたものとすることができる。
【００３６】
また、前記筆記具用部材は、前記ダブルクリップから着脱可能であるため、例えば、ダブルクリップを机等の支持体上に載置して、筆記具を用いた作業や筆記具を用いる可能性のある作業する際には、筆記具用部材をダブルクリップに固定した状態とし、筆記具を用いた作業を行わないとき（例えば、ダブルクリップ、筆記具用部材を持ち運ぶ場合や、紙葉類等をダブルクリップで挟持した状態で保管する場合等）には、筆記具用部材をダブルクリップから離脱させる等、状況に応じて、ダブルクリップと筆記具用部材との位置関係、係合関係等を適宜選択することができる。
【００３７】
筆記具としては、例えば、鉛筆、シャープペンシル、万年筆、筆、ボールペン、油性ペン、水性ペン、蛍光ペン、修正ペン、筆ペン等の各種ペン等が挙げられる。また、本発明では、紙等の記録媒体に物理的（物質的）に記録をするための上記のような筆記具に加え、スタイラスペン（タッチペン）等のように、スマートフォン、タブレット、パーソナルコンピューター（パソコン）等の電子機器上に、電子的に情報を入力するためのもの（入力手段）も、筆記具に含むものとする。
【００３８】
＜筆記具用部材＞
（第１実施形態）
まず、筆記具用部材の第１実施形態について説明する。
【００３９】
図１は、本発明の筆記具用部材の第１実施形態を示す模式的な斜視図であり、図２は、図１に示す筆記具用部材の模式的な側面図である。
【００４０】
図１に示すように、本実施形態の筆記具用部材２００は、ダブルクリップ１００に固定される固定部３と、筆記具を保持する保持部４とを備えている。
【００４１】
これにより、ダブルクリップ１００が紙葉類等の部材を挟持する機能（一般に、ダブルクリップが本来有している部材を挟持する機能）を発揮させつつ、別途、ペン立て等を用意しなくても、筆記具を好適に保持（支持）することができる。
【００４２】
固定部３は、筆記具用部材２００のいかなる部位に設けられていてもよいが、筆記具用部材２００の使用時（文房具セットの使用時）において、保持部４よりも下側に配されるものであるのが好ましい。
【００４３】
これにより、ダブルクリップ１００に固定された状態の筆記具用部材２００の安定性をより優れたものとすることができ、筆記具用部材２００の不本意な転倒等をより効果的に防止することができる。また、保持部４に筆記具をより容易に載置することができたり、保持部４に保持された筆記具をより容易に取ることができる。
【００４４】
固定部３は、いかなる方法でダブルクリップ１００に固定されるものであってもよいが、クリップ本体１（一対の挟持板１２）に挟持されることにより、固定されるものであるのが好ましい。
【００４５】
これにより、ダブルクリップ１００による筆記具用部材２００の固定力をより優れたものとすることができ、筆記具をより好適に保持することができる。また、ダブルクリップ１００が本来挟持すべき部材（例えば、紙葉類等）の挟持と、固定部（足部）３の固定とを、ダブルクリップ１００の同一の部位で行うことにより、ダブルクリップ１００の構造が複雑化したり、ダブルクリップ１００が必要以上に大型化したりすることを防止することができる。また、ダブルクリップ１００（一対の挟持板１２）が紙葉類等の本来挟持すべき部材とともに、固定部３を挟持することにより、ダブルクリップ１００による前記部材の挟持力（固定力）、および、固定部３の挟持力（固定力）をより優れたものとすることができる。
【００４６】
固定部３は、保持部４に接続する側から先端側に向かって（図２の左側から右側に向かって）厚みが増加する厚み増加部３１を有するものである。
【００４７】
これにより、ダブルクリップ１００が筆記具用部材２００を固定した状態から、筆記具用部材２００が不本意にダブルクリップ１００から分離してしまうことがより効果的に防止され、筆記具をより安定的に保持（支持）することができる。
【００４８】
特に、本実施形態では、固定部３の全長にわたって、厚み増加部３１が設けられている。
これにより、前述したような効果がより顕著に発揮される。
【００４９】
また、本実施形態では、厚み増加部３１は、固定部３の保持部４に接続する側から先端側に向かって、厚みが漸増する厚み漸増部を有するものである。
【００５０】
これにより、ダブルクリップ１００で筆記具用部材２００を挟持する（固定する）操作を行う際や、ダブルクリップ１００で固定された筆記具用部材２００に、ダブルクリップ１００から引き抜こうとする方向に外力が加わった場合等に、ダブルクリップ１００や筆記具用部材に傷がついたり、これらの部材が破損すること等をより効果的に防止することができる。また、ダブルクリップ１００が本来挟持すべき部材（例えば、紙葉類等）に不本意な傷等を生じることをより効果的に防止することができる。また、例えば、ダブルクリップ１００が挟持している複数枚の部材（例えば、紙葉類等）のうちの一部のみ（例えば、１枚のみ）を抜き取る操作等を、より好適に行うことができる。
【００５１】
特に、本実施形態では、厚み増加部３１の全長にわたって、厚み漸増部が設けられている。
これにより、前述したような効果がより顕著に発揮される。
【００５２】
固定部３の厚さが最小となる部位での厚さ（最小厚さ）をＴｍｉｎ［μｍ］、当該最小厚さの部位よりも先端側に設けられた部位で固定部３の厚さが最大となる部位での厚さ（最大厚さ）をＴｍａｘ［μｍ］としたとき、１００≦Ｔｍａｘ−Ｔｍｉｎ≦５０００の関係を満足するのが好ましく、２００≦Ｔｍａｘ−Ｔｍｉｎ≦３０００の関係を満足するのがより好ましい。
これにより、前述したような効果がより顕著に発揮される。
【００５３】
固定部３は、いかなる材料で構成されたものであってもよく、固定部の構成材料としては、例えば、各種熱可塑性樹脂、硬化性樹脂等の各種樹脂材料、鉄、銅、ステンレス鋼等の各種金属材料、各種セラミックス材料等が挙げられる。
【００５４】
また、固定部３は、例えば、各種熱可塑性エラストマー、シリコーンゴム、ブチルゴム、天然ゴム等の各種ゴム等で構成されていてもよい。これにより、例えば、固定部３がクリップ本体１（一対の挟持板１２）に挟持されるものである場合に、ダブルクリップ１００が本来挟持すべき部材（例えば、紙葉類等）に不本意に傷がついてしまうこと等をより効果的に防止することができる。
【００５５】
固定部３は、筆記具用部材２００の他の部位よりも比重の大きい材料で構成されたものであるのが好ましい。
【００５６】
これにより、保持部４に筆記具を保持（支持）した状態を安定的に維持することができ、筆記具用部材２００の転倒等をより効果的に防止することができる。特に、重量の大きい筆記具であっても、筆記具を好適に保持することができる。
【００５７】
また、固定部３は、磁石を含む材料で構成されたものであってもよい。
これにより、例えば、ダブルクリップ１００が鉄等の強磁性材料で構成されたものである場合に、固定部３をダブルクリップ１００に好適に吸着させることができ、後に詳述するような筆記具を保持（支持）した状態をより安定的に維持することができる。特に、重量の大きい筆記具であっても、筆記具を好適に保持することができる。
【００５８】
特に、固定部３がクリップ本体１に挟持されることにより固定されるものである場合、挟持により固定力と磁力による固定力とが相乗的に作用し、ダブルクリップ１００による筆記具用部材２００の固定力をより優れたものとすることができ、後に詳述するような筆記具を保持（支持）した状態をより安定的に維持することができる。特に、重量の大きい筆記具であっても、筆記具をより好適に保持することができる。
【００５９】
また、例えば、ダブルクリップ１００が挟持している複数枚の部材（例えば、紙葉類等）のうちの一部のみ（例えば、１枚のみ）を抜き取る操作等を、より好適に行うことができる。
【００６０】
保持部４は、筆記具に接触して筆記具を保持する機能を有する部位である。
保持部４は、筆記具を保持する機能を有するものであれば、いかなる形状のものであってもよいが、本実施形態では、開放した屈曲部４１を有するＹ字状をなすものである。
【００６１】
これにより、筆記具をより好適に保持（支持）することができ、筆記具用部材２００の目的の部位に筆記具を載置する操作や、載置した筆記具を取る操作をより円滑に行うことができる。また、筆記具用部材２００に載置した筆記具の不本意な転倒等をより好適に防止することができる。
【００６２】
なお、保持部４が、Ｙ字状以外の開放した屈曲部を有する形状（例えば、Ｋ字状、Ｎ字状、Ｍ字状、Ｖ字状、Ｗ字状、Ｘ字状、Ｈ字状等）であっても、前記と同様の効果が得られる。
【００６３】
また、保持部４が、開放した屈曲部を有する形状の代わりに、開放した湾曲部を有する形状（例えば、Ｕ字状等）を有する場合にも、前記と同様の効果が得られる。
【００６４】
また、本実施形態では、保持部４は、筆記具用部材の側面図において、固定部３の延在方向に対して略直交する方向に延在している。
【００６５】
これにより、ダブルクリップ１００を固定部３に固定した状態において、筆記具をより好適に保持することができる。
【００６６】
保持部４のうち筆記具と接触し得る部位は、例えば、各種熱可塑性エラストマー、シリコーンゴム、ブチルゴム、天然ゴム等の各種ゴム等で構成されていてもよい。
【００６７】
これにより、保持される筆記具の不本意な滑り等を防止することができるとともに、保持される筆記具に不本意に傷がついてしまうこと等をより効果的に防止することができる。
【００６８】
筆記具用部材２００は、後に詳述するダブルクリップ１００よりも重量が小さいものであるのが好ましい。
【００６９】
これにより、不本意な転倒等をより効果的に防止することができ、筆記具をより好適に保持することができる。特に、ダブルクリップ１００が挟持している部材（紙葉類等）が薄いものである場合、重量が小さいものである場合等のほか、ダブルクリップ１００が部材を挟持していない状態においても、安定的に筆記具を保持することができる。
【００７０】
筆記具用部材２００は、後に詳述するダブルクリップ１００よりも比重が小さい材料で構成されたものであるのが好ましい。
【００７１】
これにより、不本意な転倒等をより効果的に防止することができ、筆記具をより好適に保持することができる。特に、ダブルクリップ１００が挟持している部材（紙葉類等）が薄いものである場合、重量が小さいものである場合等のほか、ダブルクリップ１００が部材を挟持していない状態においても、安定的に筆記具を保持することができる。
【００７２】
なお、筆記具用部材２００、ダブルクリップ１００のうち少なくとも一方が中空部等の空隙部（多孔質体の孔部等を含む）を含むものである場合、これらの部材の比重は、当該部材の重量を当該開閉レバーの空隙部を含む体積で除して求めた値を採用することができる。
【００７３】
（第２実施形態）
次に、筆記具用部材の第２実施形態について説明する。
【００７４】
図３は、本発明の筆記具用部材の第２実施形態を示す模式的な斜視図である。以下の説明では、前述した実施形態との相違点について中心的に説明し、同様の事項についての説明は省略する。
【００７５】
本実施形態の筆記具用部材２００は、保持部４の形状が異なる以外は、前述した実施形態と同様の構成を有している。
【００７６】
すなわち、本実施形態では、保持部４は、筆記具を挿通する孔部４２を有するものである。
【００７７】
これにより、筆記具用部材２００に載置した筆記具の不本意な転倒等をさらに確実に防止することができる。
【００７８】
なお、図示の構成では、保持部４は、孔部を有する形状としてＯ字状をなす部位を有するものであるが、孔部を有する形状としてＯ字状以外の形状（例えば、大文字のＡ字状、Ｂ字状、Ｄ字状、Ｐ字状、Ｑ字状、Ｒ字状、小文字のａ字状、ｂ字状、ｄ字状、ｅ字状、ｇ字状、ｏ字状、ｐ字状、ｑ字状等）をなす部位を有するものであってもよい。このような場合であっても、前記と同様の効果が得られる。
【００７９】
（第３実施形態）
次に、筆記具用部材の第３実施形態について説明する。
【００８０】
図４は、本発明の筆記具用部材の第３実施形態を示す模式的な斜視図である。以下の説明では、前述した実施形態との相違点について中心的に説明し、同様の事項についての説明は省略する。
【００８１】
本実施形態の筆記具用部材２００は、情報表示部５を備えるものであり、情報表示部５の少なくとも一部が保持部４を構成するものである。
【００８２】
これにより、筆記具用部材２００に、筆記具を保持する機能だけでなく、デザイン性、ファッション性、美的外観の向上等の機能を担わせることができる。
【００８３】
なお、本明細書において、情報表示部とは、文字、マーク、ロゴ、キャラクターデザイン等の視覚的に認識し得る情報を表示する部位のことを言う。
【００８４】
本実施形態において、情報表示部５は、複数の保持部４を有している。
これにより、例えば、複数の筆記具を同時に保持することができる。また、例えば、使用者が、筆記具の種類等に応じて、複数の筆記具の載置場所を決定すること等ができる。
【００８５】
特に、本実施形態では、情報表示部５は、保持部４として、屈曲部４１（または湾曲部）に加え、孔部４２を備えている。
【００８６】
これにより、前述したような屈曲部４１（または湾曲部）を備えることによる効果に加え、孔部４２を備えることによる効果が発揮され、筆記具用部材２００全体としての利便性が特に優れたものとなる。
【００８７】
また、情報表示部５は、広告機能を有するものであるのが好ましい。
これにより、例えば、文房具セット１０００や、筆記具用部材２００、ダブルクリップ１００、ダブルクリップにより挟持された部材（例えば、当該部材に記載された商品、サービス等の情報を含む）、筆記具用部材２００に保持された筆記具等の宣伝、広告等に好適に利用することができる。また、筆記具用部材２００をノベルティとして好適に用いることができる。
【００８８】
（第４実施形態）
次に、筆記具用部材の第４実施形態について説明する。
【００８９】
図５は、本発明の筆記具用部材の第４実施形態を示す模式的な斜視図である。以下の説明では、前述した実施形態との相違点について中心的に説明し、同様の事項についての説明は省略する。
【００９０】
本実施形態の筆記具用部材２００は、保持部４の形状が異なる以外は、前述した実施形態と同様の構成を有している。
【００９１】
すなわち、本実施形態は、保持部４が、筆記具を保持した状態において、筆記具の長手方向に沿って延在する筒状部４３を有するものである。
【００９２】
このような構成により、筆記具をより安定的に保持することができ、筆記具の不本意な転倒等をより効果的に防止することができる。
【００９３】
筒状部４３の長さ（保持する筆記具の長手方向の長さ）は、特に限定されないが、３ｍｍ以上７０ｍｍ以下であるのが好ましく、７．５ｍｍ以上５０ｍｍ以下であるのがより好ましい。
【００９４】
これにより、筆記具用部材２００の大型化を防止しつつ、前述したような効果がより顕著に発揮される。
【００９５】
また、本実施形態では、筒状部４３は、筆記具を挿し入れる方向に向かって、中空部２５２１の幅が漸減する漸減部４３１を有するものである。
【００９６】
これにより、筒状部４３への筆記具の挿入操作を行いやすく、また、筆記具をより安定的に保持することができる。
【００９７】
漸減部４３１は、筒状部４３の長さ方向のいかなる部位に設けられたものであってもよいが、筆記具の挿入側の端部を含む領域に設けられたものであるのが好ましく、筒状部４３の全長にわたって設けられているのがより好ましい。
これにより、前述したような効果がより顕著に発揮される。
【００９８】
筒状部４３は、いかなる材料で構成されたものであってもよく、筒状部４３の構成材料としては、例えば、各種熱可塑性樹脂、硬化性樹脂、熱可塑性エラストマー、シリコーンゴム、ブチルゴム、天然ゴム等の各種ゴム、鉄、銅、ステンレス鋼等の各種金属等が挙げられる。
【００９９】
中でも、各種ゴムで構成されたものである場合、筆記具の不本意な移動や、筆記具の傷付き等をより効果的に防止することができる。
【０１００】
次に、ダブルクリップについて説明する。
＜ダブルクリップ＞
（第１実施形態）
まず、ダブルクリップの第１実施形態について説明する。
【０１０１】
図６は、本発明の文房具セットを構成するダブルクリップの第１実施形態を示す模式的な斜視図である。
【０１０２】
図６に示すように、本実施形態のダブルクリップ１００は、クリップ本体１と、クリップ本体１の開閉操作を行う一対の開閉レバー２（第１の開閉レバー２Ａおよび第２の開閉レバー２Ｂ）とを備えている。なお、開閉レバー２は、クリップ本体から着脱自在な部材である。
【０１０３】
クリップ本体１は、金属や合成樹脂等の弾性復元力に優れる板材を加工することにより得られたものである。
【０１０４】
クリップ本体１は、背板１１と、これの長さ方向両端縁からそれぞれ延設される一対の挟持板１２（第１の挟持板１２Ａおよび第２の挟持板１２Ｂ）とで構成される側面視略二等辺三角形形状に形成されている。
【０１０５】
第１の挟持板１２Ａおよび第２の挟持板１２Ｂの先端縁の幅方向両側部分は、それぞれ、背板１１が配された側とは反対の方向に延出したのち外側（お互いが離れる方向）に向かって筒状に丸められ、先端縁挟持部１２１（第１の先端縁挟持部１２１Ａおよび第２の先端縁挟持部１２１Ｂ）を形成している。
【０１０６】
先端縁挟持部１２１（１２１Ａ、１２１Ｂ）は、開閉レバー２が起伏自在にクリップ本体１に取り付けられるための軸受け部としての役割も担っている。
【０１０７】
第１の先端縁挟持部１２１Ａおよび第２の先端縁挟持部１２１Ｂの幅方向内側には、それぞれ、開閉レバー２（２Ａ、２Ｂ）の先端部を挿入するための差し込み口１２２（第１の差し込み口１２２Ａ、第２の差し込み口１２２Ｂ）が設けられている。
【０１０８】
また、第１の先端縁挟持部１２１Ａおよび第２の先端縁挟持部１２１Ｂの先端縁の幅方向中央部分は、それぞれ、背板１１が配された側とは反対の方向に延出したのち外側（先端部が離れる方向）に向かって略Ｕ字形状に丸められ、開閉レバー２（第１の開閉レバー２Ａおよび第２の開閉レバー２Ｂ）の先端（回動軸部２３）を先端縁挟持部１２１内に導くための案内部１２３（第１の案内部１２３Ａ、第２の案内部１２３Ｂ）を形成している。
【０１０９】
クリップ本体１の構成材料は、特に限定されないが、加工性や耐久性等の観点から金属材料を好適に用いることができる。
【０１１０】
また、クリップ本体１は、磁石材料で構成された部位を有するものであってもよい。
これにより、例えば、筆記具用部材２００の固定部３が挟持性材料で構成されたものである場合に、固定部３をダブルクリップ１００に好適に吸着させることができ、筆記具を保持（支持）した状態をより安定的に維持することができる。特に、重量の大きい筆記具であっても、筆記具を好適に保持することができる。
【０１１１】
また、例えば、ダブルクリップ１００を支持する支持体（例えば、机等）が強磁性材料で構成されたものである場合に、ダブルクリップ１００を支持体に好適に吸着させることができ、後に詳述するような筆記具を保持（支持）した状態を安定的に維持することができる。特に、重量の大きい筆記具であっても、好適に保持することができる。
【０１１２】
また、クリップ本体１は、異なる材料で構成された部位を有するものであってもよい。
例えば、クリップ本体１は、鉄、ステンレス鋼等の金属材料で構成された基部の少なくとも一部（例えば、文房具セット１０００（ダブルクリップ１００および筆記具用部材２００）の使用時に筆記具用部材２００の固定部３に接触する挟持板１２の表面（内表面）や、文房具セット１０００（ダブルクリップ１００および筆記具用部材２００）の使用時に机等の支持体に接触する挟持板１２の表面等）が、磁石材料で構成された表面層で被覆されたものであってもよい。
【０１１３】
また、クリップ本体１は、少なくとも、先端縁挟持部１２１（第１の先端縁挟持部１２１Ａおよび第２の先端縁挟持部１２１Ｂ）が、各種熱可塑性エラストマー、シリコーンゴム、ブチルゴム、天然ゴム等の各種ゴム等で構成されたものであってもよい。これにより、例えば、ダブルクリップ１００が挟持する部材（例えば、紙葉類等）に不本意に傷がついてしまうこと等をより効果的に防止することができる。
【０１１４】
また、クリップ本体１は、文房具セット１０００（ダブルクリップ１００および筆記具用部材２００）の使用時に机等の支持体に接触する挟持板１２が、他の部位に比べて高比重の材料で構成されたものであってもよい。これにより、後に詳述するような筆記具を保持（支持）した状態をより安定的に維持することができる。特に、重量の大きい筆記具であっても、好適に保持することができる。
【０１１５】
開閉レバー２は、幅方向に略円形に膨出する摘み部２１と、摘み部２１から延出し先端に向かって幅方向外側に拡開するアーム部２２と、アーム部２２の先端から幅方向外向きに屈曲してそれぞれ延出する回動軸部２３とを備えている。
【０１１６】
より具体的には、第１の開閉レバー２Ａは、幅方向に略円形に膨出する摘み部（第１の摘み部）２１Ａと、摘み部２１Ａから延出し先端に向かって幅方向外側に拡開するアーム部（第１のアーム部）２２Ａと、アーム部２２Ａの先端から幅方向外向きに屈曲してそれぞれ延出する回動軸部（第１の回動軸部）２３Ａとを備えており、第２の開閉レバー２Ｂは、幅方向に略円形に膨出する摘み部（第２の摘み部）２１Ｂと、摘み部２１Ｂから延出し先端に向かって幅方向外側に拡開するアーム部（第２のアーム部）２２Ｂと、アーム部２２Ｂの先端から幅方向外向きに屈曲してそれぞれ延出する回動軸部（第２の回動軸部）２３Ｂとを備えている。
【０１１７】
本実施形態では、開閉レバー２には、筆記具を保持（支持）する機能を有する保持部２５が設けられている。
【０１１８】
このような保持部２５を有することにより、前述した筆記具用部材が有する保持部４と協働して、筆記具をより安定的に保持（支持）することができる。
【０１１９】
特に、本実施形態では、保持部２５は、筆記具を挿通する孔部２５１を有するものである。
【０１２０】
これにより、筆記具をより好適に保持（支持）することができ、ダブルクリップ１００の目的の部位に筆記具を載置する操作や、載置した筆記具を取る操作をより円滑に行うことができる。また、ダブルクリップ１００に載置した筆記具の不本意な転倒等をより好適に防止することができる。
【０１２１】
また、本実施形態では、第１の開閉レバー２Ａに保持部（第１の保持部）２５Ａが設けられるとともに、第２の開閉レバー２Ｂに保持部（第２の保持部）２５Ｂが設けられている。
【０１２２】
これにより、より好適に筆記具を保持することができ、ダブルクリップ１００に載置した筆記具の不本意な転倒等をさらに効果的に防止することができる。
【０１２３】
また、本実施形態では、第１の保持部２５Ａが有する孔部（第１の孔部）２５１Ａと、第２の保持部２５Ｂが有する孔部（第２の孔部）２５１Ｂとは、大きさが異なるもの（相似形）である。
【０１２４】
これにより、例えば、筆記具の形状等（より具体的には、例えば、筆記具の先端側の形状等）に応じて、筆記具をより好適に保持することができる。
【０１２５】
特に、図示の構成では、机等の支持体に接触する側（下側）に配された第１の開閉レバー２Ａに設けられた孔部２５１Ａは、第２の開閉レバー２Ｂ（第１の開閉レバー２Ａよりも上側に配されている）に設けられた孔部２５１Ｂよりも、幅（内径）が小さいものである。
【０１２６】
これにより、例えば、筆記具のうち、第１の保持部２５Ａが保持する部位が第２の保持部２５Ｂが保持する部位よりも細いものである場合（例えば、筆記具が、把持部（胴部）よりもペン先が細いペン等である場合）等に、筆記具をより好適に保持することができる。
【０１２７】
また、筆記具用部材２００の保持部４が孔部４２を有するものである場合（例えば、図３、図４参照）孔部２５１Ａの幅（内径）、および孔部２５１Ｂの幅（内径）は、孔部４２の幅（内径）以下であるのが好ましい。
【０１２８】
これにより、例えば、筆記具の基端側の部位（保持部４が保持する部位）の太さが、第１の保持部２５Ａが保持する部位の太さ、第２の保持部２５Ｂが保持する部位の太さ以上のものである場合（例えば、筆記具が、把持部（胴部）よりもペン先が細いペン等である場合）等に、筆記具をより好適に保持することができる。
【０１２９】
筆記具を保持した状態において、第１の開閉レバー２Ａよりも上側に第２の開閉レバー２Ｂが配されているものとした場合（図６参照）、第２の開閉レバー２Ｂは、第１の開閉レバー２Ａよりも重量が小さいものであるのが好ましい。
【０１３０】
これにより、不本意な転倒等をより効果的に防止することができ、筆記具をより好適に保持することができる。特に、クリップ本体１が挟持している部材（紙葉類等）が薄いものである場合、重量が小さいものである場合等のほか、クリップ本体１が部材を挟持していない状態においても、安定的に筆記具を保持することができる。
【０１３１】
筆記具を保持した状態において、第１の開閉レバー２Ａよりも上側に第２の開閉レバー２Ｂが配されているものとした場合（図６参照）、第２の開閉レバー２Ｂは、第１の開閉レバー２Ａよりも比重の小さい材料で構成されたものであるのが好ましい。
【０１３２】
これにより、ダブルクリップ１００の不本意な転倒等をより効果的に防止することができ、筆記具をより好適に保持することができる。特に、クリップ本体１が挟持している部材（紙葉類等）が薄いものである場合、重量が小さいものである場合等のほか、クリップ本体１が部材を挟持していない状態においても、安定的に筆記具を保持することができる。
【０１３３】
なお、第１の開閉レバー２Ａ、第２の開閉レバー２Ｂのうち少なくとも一方が中空部等の空隙部（多孔質体の孔部等を含む）を含むものである場合、各開閉レバー２の比重は、開閉レバー２の重量を当該開閉レバーの空隙部を含む体積で除して求めた値を採用することができる。
【０１３４】
（第２実施形態）
次に、ダブルクリップの第２実施形態について説明する。
【０１３５】
図７は、本発明の文房具セットを構成するダブルクリップの第２実施形態を示す模式的な斜視図である。以下の説明では、前述した実施形態との相違点について中心的に説明し、同様の事項についての説明は省略する。
【０１３６】
本実施形態のダブルクリップ１００は、保持部２５の形状が異なる以外は、前述した実施形態と同様の構成を有している。
【０１３７】
すなわち、前述した実施形態では、第１の保持部２５Ａ（孔部２５１Ａ）および第２の保持部２５Ｂ（孔部２５１Ｂ）が、同一の形状（相似形）であったのに対し、本実施形態では、第１の保持部２５Ａ（孔部２５１Ａ）と第２の保持部２５Ｂとが異なる形状を有している。より具体的には、本実施形態では、第１の保持部２５Ａが孔部２５１Ａを有するものであるのに対し、第２の保持部２５Ｂが開放した屈曲部を有するＹ字状をなすものである。
【０１３８】
このように、ダブルクリップが保持部を有するものである場合、当該保持部は、筆記具を保持（支持）する機能を有するものであれば、孔部に限定されず、その形状はいかなるものであってもよい。
【０１３９】
特に、保持部２５が、屈曲部において筆記具と接触することにより、筆記具を保持するものであると、筆記具の不本意な移動が防止され、好適に保持することができる。
【０１４０】
また、本実施形態のように、第１の保持部２５Ａと第２の保持部２５Ｂの形状が異なるものであると、例えば、筆記具の形状等に応じて、筆記具をより好適に保持することができる。
【０１４１】
また、本実施形態のように、ダブルクリップ１００が有する保持部２５が開放した屈曲部を有するものであると、孔部を有する場合に比べて、保持された筆記具を好適に取ることができ、筆記具を取る際におけるダブルクリップ１００の転倒等をより効果的に防止することができる。
【０１４２】
なお、上記のような効果は、例えば、保持部２５が開放した屈曲部を有する場合のみならず、開放した湾曲部を有するもの（例えば、さすまた状のもの等）である場合にも、同様に得られる。
【０１４３】
（第３実施形態）
次に、ダブルクリップの第３実施形態について説明する。
【０１４４】
図８は、本発明の文房具セットを構成するダブルクリップの第３実施形態を示す模式的な斜視図であり、図９は、図８に示すダブルクリップの挟持部（先端縁挟持部）を開いた状態を示す模式的な側面図である。以下の説明では、前述した実施形態との相違点について中心的に説明し、同様の事項についての説明は省略する。
【０１４５】
本実施形態のダブルクリップ１００は、保持部２５の形状が異なる以外は、前述した実施形態と同様の構成を有している。
【０１４６】
すなわち、本実施形態は、保持部２５（第２の保持部２５Ｂ）が、筆記具を保持した状態において、筆記具の長手方向に沿って延在する筒状部２５２を有するものである。
【０１４７】
このような構成により、筆記具をより安定的に保持することができ、筆記具の不本意な転倒等をより効果的に防止することができる。
【０１４８】
筒状部２５２の長さ（保持する筆記具の長手方向の長さ）は、筒状部２５２が設けられた開閉レバー２（２Ｂ）の摘み部２１（２１Ｂ）の厚さよりも厚いものであればよいが、当該摘み部の厚さの２倍以上３０倍以下であるのが好ましく、５倍以上２０倍以下であるのがより好ましい。
【０１４９】
これにより、ダブルクリップ１００の大型化を防止しつつ、前述したような効果がより顕著に発揮される。
【０１５０】
筒状部２５２の具体的な長さ（保持する筆記具の長手方向の長さ）は、特に限定されないが、３ｍｍ以上４５ｍｍ以下であるのが好ましく、７．５ｍｍ以上３０ｍｍ以下であるのがより好ましい。
【０１５１】
これにより、ダブルクリップ１００の大型化を防止しつつ、前述したような効果がより顕著に発揮される。
【０１５２】
また、本実施形態では、筒状部２５２は、筆記具を挿し入れる方向に向かって、中空部２５２１の幅が漸減する漸減部２５２２を有するものである。
【０１５３】
これにより、筒状部２５２への筆記具の挿入操作を行いやすく、また、筆記具をより安定的に保持することができる。
【０１５４】
漸減部２５２２は、筒状部２５２の長さ方向のいかなる部位に設けられたものであってもよいが、筆記具の挿入側の端部を含む領域に設けられたものであるのが好ましく、筒状部２５２の全長にわたって設けられているのがより好ましい。
これにより、前述したような効果がより顕著に発揮される。
【０１５５】
また、図９に示すように、本実施形態では、クリップ本体１の挟持部を開く操作（一対の先端縁挟持部１２１を離間させる操作）を行う際に、筒状部２５２は、筒状部２５２が設けられている開閉レバー２（第２の開閉レバー２Ｂ）とは異なる開閉レバー２（第１の開閉レバー２Ａ）に設けられた孔部２５１（２５１Ａ）に挿入されるように構成されている。
【０１５６】
これにより、上記のような筒状部２５２を有することによる利益を享受しつつ、クリップ本体１の挟持部を開く操作を行う際に、筒状部２５２がダブルクリップ１００の他の部位に不本意に接触することが効果的に防止され、先端縁挟持部１２１同士の離間距離を大きいものとすることができ、より厚みの大きい部材（例えば、より多くの紙葉類等）等を好適に挟持することができる。
【０１５７】
筒状部２５２は、いかなる材料で構成されたものであってもよく、筒状部２５２の構成材料としては、例えば、各種熱可塑性樹脂、硬化性樹脂、熱可塑性エラストマー、シリコーンゴム、ブチルゴム、天然ゴム等の各種ゴム、鉄、銅、ステンレス鋼等の各種金属等が挙げられる。
【０１５８】
中でも、各種ゴムで構成されたものである場合、筆記具の不本意な移動や、筆記具の傷付き等をより効果的に防止することができるとともに、クリップ本体１の挟持部を開く操作を行う際に、筒状部２５２がダブルクリップ１００の他の部位と接触してしまう場合であっても、筒状部２５２が好適に変形することができ、先端縁挟持部１２１同士の離間距離を十分に大きいものとすることができ、より厚みの大きい部材（例えば、より多くの紙葉類等）等を好適に挟持することができる。
【０１５９】
（第４実施形態）
次に、ダブルクリップの第４実施形態について説明する。
【０１６０】
図１０は、本発明の文房具セットを構成するダブルクリップの第４実施形態を示す模式的な斜視図であり、図１１は、図１０に示すダブルクリップの模式的な側面図である。以下の説明では、前述した実施形態との相違点について中心的に説明し、同様の事項についての説明は省略する。
【０１６１】
本実施形態のダブルクリップ１００は、開閉レバー２の形状が異なる以外は、前述した実施形態と同様の構成を有している。
【０１６２】
すなわち、本実施形態では、ダブルクリップ１００を表面が水平の支持体５００（机等）上に設置し、筆記具を保持させた状態において、当該筆記具の先端が支持体５００の表面に接触しないように構成されている（図１１参照）。
【０１６３】
これにより、筆記具の先端が支持体５００に接触し、支持体５００を汚してしまったり、筆記具が破損したりする等の問題の発生を効果的に防止することができる。
【０１６４】
特に、本実施形態では、ダブルクリップ１００の側面図（図１１参照）または断面図において、支持体５００側の第１の開閉レバー２Ａ（アーム部２２Ａ）は、第１の開閉レバー２Ａのクリップ本体１への取り付け部（回動軸部２３Ａ）と先端部との間に、内側（図中の上方、クリップ本体１側）に湾曲している部位を有している。
【０１６５】
これにより、筆記具の先端が支持体５００に接触し、支持体５００を汚してしまったり、筆記具が破損したりする等の問題の発生をより効果的に防止することができる。また、開閉レバー２による挟持部の開閉操作（一対の先端縁挟持部１２１を離間、接近させる操作）をより容易に行うことができる。また、ダブルクリップ１００が筆記具を保持した状態における筆記具の角度（鉛直方向とのなす角）をより好適に調整することができ（例えば、傾斜角度がより小さくなるように調整することができ）、筆記具の転倒等をより効果的に防止することができる。
【０１６６】
また、本実施形態では、支持体５００側の第１の開閉レバー２Ａだけでなく、第２の開閉レバー２Ｂにも湾曲部が設けられている。より具体的には、第２の開閉レバー２Ｂ（アーム部２２Ｂ）は、第２の開閉レバー２Ｂのクリップ本体１への取り付け部（回動軸部２３Ｂ）と先端部との間に、内側（図中の下方、クリップ本体１側）に湾曲している部位を有している。
【０１６７】
これにより、開閉レバー２による挟持部の開閉操作（一対の先端縁挟持部１２１を離間、接近させる操作）をさらに容易に行うことができる。また、ダブルクリップ１００が筆記具を保持した状態における筆記具の角度（鉛直方向とのなす角）をさらに好適に調整することができ（例えば、傾斜角度がより小さくなるように調整することができ）、筆記具の転倒等をさらに効果的に防止することができる。
【０１６８】
ダブルクリップ１００の側面図（図１１参照）において、開閉レバー２のクリップ本体１への取り付け部（回動軸部２３）と先端部との間でのアーム部２２の延在方向（直線）と、当該開閉レバー２に設けられた保持部２５の延在方向（直線）とのなす角θは、５°以上４５°以下であるのが好ましく、７°以上３０°以下であるのがより好ましい。
これにより、前述したような効果がより顕著に発揮される。
【０１６９】
なお、図示の構成では、開閉レバー２（アーム部２２）は、当該開閉レバー２のクリップ本体１への取り付け部（回動軸部２３）と先端部との間に、内側に湾曲している部位（湾曲部）を有しているが、湾曲部の代わりに屈曲部を有する場合にも同様の効果が得られる。
【０１７０】
＜文房具セットの使用形態＞
次に、本発明の文房具セットの使用形態の具体例について説明する。
【０１７１】
図１２は、図１、図２に示す筆記具用部材と、図６に示すダブルクリップとを備える本発明の文房具セットの使用形態の一例を示す模式的な斜視図である。
【０１７２】
図示の構成では、文房具セット１０００を構成する筆記具用部材２００の固定部３が、ダブルクリップ１００の一対の挟持板１２によって挟持されることにより、固定されている。
【０１７３】
これにより、固定部３をダブルクリップ１００に対してより安定的に固定することができ、結果として、筆記具をより好適に保持（支持）することができる。
【０１７４】
また、図１２では、ダブルクリップ１００が紙葉類等の部材（ダブルクリップ本来の機能を発揮するために挟持される部材）を挟持していない状態を示しているが、ダブルクリップ１００の挟持板１２が、筆記具用部材２００の固定部３とともに紙葉類等の部材を挟持した状態においては、挟持板１２による挟持力（押圧力）がより大きいものとなり、より安定的に固定部３を挟持することができるとともに、紙葉類等の部材の重量により、ダブルクリップ１００、筆記具用部材２００、筆記具等の転倒がより効果的に防止される。
【０１７５】
なお、前記の説明では、図１、図２に示す筆記具用部材と、図６に示すダブルクリップとの組み合わせについて代表的に説明したが、筆記具用部材とダブルクリップとの組み合わせが異なる場合（例えば、筆記具用部材として図３、図４または図５に示すものを用いた場合や、ダブルクリップとして図７、図８または図１０に示すものを用いた場合等）であっても、前記と同様な効果が得られる。
【０１７６】
以上、本発明の好適な実施形態について説明したが、本発明は、これらに限定されるものではない。
【０１７７】
例えば、筆記具用部材を構成する保持部は、前述したような形態のものに限らず、筆記具を保持（支持）する機能を有するものであればいかなる形態のものであってもよい。また、筆記具用部材を構成する保持部は、筆記具用部材のいかなる部位に設けられたものであってもよい。
【０１７８】
また、前述した実施形態では、筆記具用部材を構成する固定部が、ダブルクリップのクリップ本体を構成する挟持板により挟持されることにより固定されるものである場合について代表的に説明したが、筆記具用部材を構成する固定部は、これ以外の形態で固定されるものであってもよい。例えば、筆記具用部材を構成する固定部は、磁力による吸着によってダブルクリップに固定されるものや、ダブルクリップやダブルクリップに挟持された部材（例えば、紙葉類等）の荷重により固定されるもの等であってもよい。
【０１７９】
また、ダブルクリップを構成する保持部は、前述したような形態のものに限らず、いかなる形態のものであってもよい。
【０１８０】
例えば、前述した実施形態では、筆記具の先端側を保持（支持）する保持部（ダブルクリップを構成する保持部）が、孔部を有し、筆記具の外周と接触することにより筆記具を保持するリング状のものである場合について代表的に説明したが、筆記具の先端側を保持（支持）する保持部（ダブルクリップを構成する保持部）は、例えば、有底凹部を有し、当該有底凹部に筆記具を接触させて保持するものであってもよい。
【０１８１】
また、前述した実施形態では、筆記具を保持した状態において、下側に配される開閉レバー（第１の開閉レバー）が、上側に配される開閉レバー（第２の開閉レバー）と同等の体積を有するものか、上側に配される開閉レバー（第２の開閉レバー）よりも体積の小さいものである場合について代表的に説明したが、第１の開閉レバーは、第２の開閉レバーよりも体積の大きいものであってもよい。これにより、筆記具をより安定的に保持することができる。
【０１８２】
また、前述した実施形態では、ダブルクリップを構成する一対の開閉レバーに、それぞれ保持部が設けられている場合について代表的に説明したが、保持部は、一方の開閉レバーのみに設けられていてもよい。
【０１８３】
また、前述した実施形態では、ダブルクリップを構成する各開閉レバーに一つずつの保持部が設けられている場合について説明したが、１つの開閉レバーに複数の保持部が設けられていてもよい。これにより、例えば、複数の筆記具を保持することができる。また、例えば、大きさ（太さ等）の異なる複数の筆記具を用いる場合であっても、好適に保持することができる。
【０１８４】
また、前述した実施形態では、ダブルクリップを構成する摘み部が保持部を兼ねている場合について代表的に説明したが、ダブルクリップを構成する保持部は、摘み部とは別個に設けられたものであってもよい。例えば、摘み部の先端側等に保持部が設けられていてもよい。
【０１８５】
また、前述した第４実施形態のダブルクリップでは、開閉レバーのアーム部が湾曲または屈曲している構成について説明したが、例えば、アームに対して、アーム部に接続する摘み部がアーム部の延在方向に対して湾曲または屈曲している場合にも、前記と同様の効果が得られる。また、例えば、ダブルクリップを構成する保持部が摘み部とは別体として設けられている場合（例えば、ダブルクリップを構成する保持部が摘み部の先端側に接続して設けられている場合等）には、当該保持部がアーム部の延在方向に対して湾曲、屈曲している場合でも前記と同様の効果が得られる。
【０１８６】
また、前述した実施形態では、筆記具用部材が保持部を有するとともに、ダブルクリップも保持部を有するものである場合について代表的に説明したが、本発明では、筆記具用部材が保持部を有していればよく、ダブルクリップは保持部を有していなくてもよい。
【符号の説明】
【０１８７】
１０００…文房具セット
１００…ダブルクリップ
１…クリップ本体
１１…背板
１２…挟持板
１２Ａ…挟持板（第１の挟持板）
１２Ｂ…挟持板（第２の挟持板）
１２１…先端縁挟持部
１２１Ａ…先端縁挟持部（第１の先端縁挟持部）
１２１Ｂ…先端縁挟持部（第２の先端縁挟持部）
１２２…差し込み口
１２２Ａ…差し込み口（第１の差し込み口）
１２２Ｂ…差し込み口（第２の差し込み口）
１２３…案内部
１２３Ａ…案内部（第１の案内部）
１２３Ｂ…案内部（第２の案内部）
２…開閉レバー
２Ａ…開閉レバー（第１の開閉レバー）
２Ｂ…開閉レバー（第２の開閉レバー）
２１…摘み部
２１Ａ…摘み部（第１の摘み部）
２１Ｂ…摘み部（第２の摘み部）
２２…アーム部
２２Ａ…アーム部（第１のアーム部）
２２Ｂ…アーム部（第２のアーム部）
２３…回動軸部
２３Ａ…回動軸部（第１の回動軸部）
２３Ｂ…回動軸部（第２の回動軸部）
２５…保持部
２５Ａ…保持部（第１の保持部）
２５Ｂ…保持部（第２の保持部）
２５１…孔部
２５１Ａ…孔部（第１の孔部）
２５１Ｂ…孔部（第２の孔部）
２５２…筒状部
２５２１…中空部
２５２２…漸減部
２００…筆記具用部材
３…固定部（足部）
３１…厚み増加部（厚み漸増部）
４…保持部
４１…屈曲部
４２…孔部
４３…筒状部
４３１…漸減部
５…情報表示部
５００…支持体
【要約】      （修正有）【課題】持ち運びに便利で、筆記具を好適に保持（支持）する機能を備えた筆記具用部材、文房具セットを提供する。【解決手段】クリップ本体１と、クリップ本体の開閉操作を行う一対の開閉レバー２とを備えるダブルクリップに固定して用いられるものであって、ダブルクリップに固定される固定部と、筆記具を保持する保持部４とを備える。筆記具用部材は、固定部がクリップ本体に挟持されることにより、ダブルクリップに固定されるものであるのが好ましい。固定部は、保持部に接続する側から先端側に向かって厚みが増加する厚み増加部を有するものであるのが好ましい。【選択図】図１２【図１】
0005937732.tif 000002
【図２】
0005937732.tif 000003
【図３】
0005937732.tif 000004
【図４】
0005937732.tif 000005
【図５】
0005937732.tif 000006
【図６】
0005937732.tif 000007
【図７】
0005937732.tif 000008
【図８】
0005937732.tif 000009
【図９】
0005937732.tif 000010
【図１０】
0005937732.tif 000011
【図１１】
0005937732.tif 000012
【図１２】
0005937732.tif 000013